(57)【要約】【課題】簡単な構造で、内機をキャビネットに出し入れしやすくする分電盤のレール支持方法を提供することを目的としている。【解決手段】レール４にパネルを渡しパネル上に電気機器を載置して構成される内機の、レール４の先端に保護具１０を添えて用い、保護具１０には、レール４の軌道となる溝１２が形成され、レール４を支持するためのリブ１３を設けると共に、複数段階でレール４を支持可能であるように溝１２がさらに延設されることを特徴とする。【選択図】図３
2008182773.tif 000002
【特許請求の範囲】
【請求項１】
電気機器を載置、配線して構成される分電盤の、パネルに前記電気機器を配置した状態の内機を固定するレールの支持構造であって、前記レールの先端に保護具を添えて用い、該保護具には、前記レールの軌道となる溝が形成され、前記レールを支持するためのリブを設けると共に、複数段階で前記レールを支持可能であるように前記溝がさらに延設されることを特徴とするレールの支持構造。
【発明の詳細な説明】
【技術分野】
【０００１】
本発明は、電気機器を載置、配線して構成される分電盤の、パネルに電気機器を配置した状態の内機を固定するレールの支持構造に関するものである。
【背景技術】
【０００２】
分電盤はキャビネットに内機を固定して構成される。内機はレール上にパネルが渡され、パネル上に電気機器を配置している。内機の支持方法は、キャビネット本体の底面にはレール支持具が設けられていて、レール支持具に内機を構成するレールを固定していた。このとき、レール３１の下端部には保護具３２を取り付け、内機をキャビネットに収納する際、キャビネットの底面にレールが当たったときに傷をつけないようにしている。また、内機をキャビネットに確実に固定できるようにするため、内機の下がりを防止していた。保護具３２にはレール３１挿入のための溝３３が設けられ、レール３１に保護具３２を取り付けて、ねじ３４で締め付け固定するので、保護具３２の取り付け作業が簡単であった。
【非特許文献１】２００５カワムラ総合カタログ電設資材編平成１７年５月１日発行
【発明の開示】
【発明が解決しようとする課題】
【０００３】
しかしながら、小型のキャビネットの場合には、キャビネット開口周縁に設けられた水切りも小さいため、内機の取り付け作業はキャビネットに干渉せず円滑に行えるが、大型のキャビネットで、水切りも大きな寸法で形成されているような場合には、保護具をレールに取り付けた状態では、レールが水切りに干渉し、内機の出し入れが困難である場合があった。
【課題を解決するための手段】
【０００４】
そこで本発明は、簡単な構造で、内機をキャビネットに出し入れしやすくする分電盤のレール支持方法を提供することを目的とし、その構造は、レールの先端に保護具を添えて用い、保護具には、レールの軌道となる溝が形成され、レールを支持するためのリブを設けると共に、複数段階でレールを支持可能であるように溝がさらに延設されることを特徴とする。
【発明の効果】
【０００５】
本発明に係るレールの支持構造は、レールの先端に保護具を添えて用い、保護具には、レールの軌道となる溝が形成され、レールを支持するためのリブを設けると共に、複数段階でレールを支持可能であるように溝がさらに延設されるため、キャビネットの構造、水切りの寸法の違いなどに関わらず、内機の脱着作業中にキャビネットに傷をつけたりしないように保護具がレールの先端に取り付けたまま、キャビネットに出し入れできる。また、支持リブにより、内機は、取り付け位置に確実に固定されるので、下がりを防止することができる。
【発明を実施するための最良の形態】
【０００６】
本発明に係るレールの支持構造を図１〜図３の添付図面に基いて説明する。
【０００７】
分電盤１は、キャビネット２に内機３を収納して構成される。内機３は、レール４にパネル５を渡し、パネル５上にブレーカ等の電気機器６を配置して構成される。本発明は、内機３を構成するレール４のキャビネット２への支持構造に関する。
【０００８】
キャビネット２は、前面に開口２ａを有する箱体本体２ｂに前面を扉体２ｃで施蓋し構成される。内機３は配線覆い（図示せず）で被覆し、充電部７の保護等を行っている。配線覆い（図示せず）は予め、電気機器６の操作ハンドルが突出できるように突出孔が設けられている。
【０００９】
キャビネット２の背面にはレール支持具８を取り付ける。レール支持具８にはレール４を固定するためのボルトが突設されている。レール４には固定穴９が複数設けられ、固定穴９をボルトに挿通し、ナットで締め付け固定する。レール４の下端部には保護具１０を取り付ける。保護具１０には、レール４に設けられた固定穴９に対向するように挿通孔１１を設ける。また、保護具１０の内側には、レール４の軌道となるように溝１２が設けられる。
【００１０】
レール４を支持するためのリブ１３を溝１２に設ける。また、レール４を複数段階で支持可能であるように、溝１２はさらに下方に延設する。複数段階でリブ１３を設け、一つは保護具１０の下方に、他のものは、上方にレール４に設けられた固定穴９に対向する位置に適宜設ける。レール４を保護具１０の溝１２に挿入し、レール４の固定穴９と保護具１０の挿通孔１１とを対向させねじ止めし、レール４に保護具１０を装着する。
【００１１】
通常、キャビネット２が小型で、開口２ａの周縁部に設けられた雨水の浸入を防ぐための水切り２ｄの寸法も小く、レール４が長くても水切り２ｄに干渉することがない場合には、レール４が長い方がパネル５を大きくでき、たくさんの機器を配置することができるので、下方のリブ１３にレール４を掛け、上方のリブ１３はレール４の固定穴９に嵌め、保護具１０とレール４とは少しだけ重ねて、できるだけ長くして用いる。
【００１２】
一方、キャビネット２が大型で、水切り２ｄの寸法が大きい場合には、レール４が長いと内機３の脱着の際水切り２ｄに干渉することがあるため、レール４はなるべく短くしておきたい。そのような場合には、溝１２の延設部分にレール４を当て、保護具１０とレール４の重なる部分を多くして全体の長さを短くする。
【００１３】
レール４に保護具１０を装着せずに取り付け作業を行うと、電気機器が取り付けられた状態であるため重量もあり、キャビネット２に触れてしまうと傷をつけてしまう虞があった。保護具１０をレール４の下端部に着用することで、レール４の先端がキャビネット２に触れて傷をつけてしまうことを防止する。また、保護具１０により、レール４をキャビネット２に確実に固定することができ、内機３の下がりも防止できた。
【００１４】
本発明においては、さらに、保護具１０にレール４の軌道となる溝１２を延設し、レール４を保護具１０に取り付けるときに着用位置をスライド移動により可変とした。
【００１５】
また、保護具には、強度を確保するために、レール４を支持するためのリブ１３を設け、このリブ１３も、着用位置を可変とするために複数設けた。
【図面の簡単な説明】
【００１６】
【図１】分電盤のレール支持構造を示す説明図である。
【図２】図１におけるキャビネットの斜視図である。
【図３】図１におけるレールのレール支持構造を示す要部拡大図である。
【図４】従来の分電盤のレール支持構造を示す説明図である。
【符号の説明】
【００１７】
１    分電盤
２    キャビネット
２ａ  開口
２ｂ  箱体本体
２ｃ  扉体
２ｄ  水切り
３    内機
４    レール
５    パネル
６    電気機器
７    充電部
８    レール支持具
９    固定穴
１０  保護具
１１  挿通孔
１２  溝
１３  リブ
【図１】
2008182773.tif 000003
【図２】
2008182773.tif 000004
【図３】
2008182773.tif 000005
【図４】
2008182773.tif 000006